(57)【要約】【課題】投影画像上に複数のカーソルが表示されることに起因する不都合を解消する。【解決手段】ポインタの制御部は、撮像部により撮像され画像に基づき、フリッカーが検出できたか否かを判断する（ステップＳ３）。フリッカーが検出された場合は、ポインタ機能部をＯＦＦにし、かつマウス機能部をＯＮにする（ステップＳ５）。したがって、スクリーンには、パソコンの表示部に表示されている第１のカーソルがプロジェクタにより投影されて表示されるが、ポインタ機能部がＯＦＦにされていることから、ポインタの先端面がスクリーン１００方向に向いていても、第２のカーソルがスクリーン上に表示されることはない。よって、スクリーン１００上に第１のカーソルと第２のカーソルとが併存して表示されてしまう状態を回避することができる。【選択図】図６
2015060573.tif 000002
【特許請求の範囲】
【請求項１】
画像を表示する画面を備えた端末装置と、
この端末装置から前記画面に表示される画像を取得して所定の投影面上に投影する投影装置と、
第１のカーソルを前記画面に表示させる第１のモードと、発光源を有しこの発光源からの光を照射し第２のカーソルを外部の任意の位置に表示させる第２のモードとを設定可能な照射装置と、を含む投影システムであって、
前記照射装置は、
前記第２のカーソルが表示される位置が前記投影面上であるか否かを判断する判断手段と、
この判断手段により前記投影面上であると判断された場合、前記第１のカーソルを表示するように制御する制御手段と
を備えることを特徴とする投影システム。
【請求項２】
前記判断手段は、前記投影装置の投影に伴うフリッカを前記投影面上にて検出する検出手段を備え、
前記検出手段が前記フリッカを検出した場合に前記第２のカーソルが表示される位置が前記投影面上であると判断することを特徴とする請求項１記載の投影システム。
【請求項３】
前記制御手段は、前記判断手段により前記第２のカーソルが表示される位置が前記投影面上であると判断された場合、前記第２のモードを解除することを特徴とする請求項１又は２記載の投影システム。
【請求項４】
前記制御手段は、前記第２のモードを解除し且つ前記第１のモードを設定することを特徴とする請求項３記載の投影システム。
【請求項５】
前記制御手段は、前記検出手段が前記部位におけるフリッカを検出しない場合、前記第２のモードを解除して、前記第１のモードを設定することを特徴とする請求項３又は４記載の投影システム。
【請求項６】
前記制御手段は、前記判断手段により前記位置が投影面上であると判断された場合、投影面上でないと判断された場合よりも小さいサイズで前記第２のカーソルを表示させることを特徴とする請求項１記載の投影システム。
【請求項７】
前記制御手段は、前記判断手段により前記位置が投影面上であると判断された場合、前記投影面に投影されている画像の色に応じた異なる色で前記第１のカーソルを表示させることを特徴とする請求項１記載の投影システム。
【請求項８】
前記制御手段は、前記判断手段により前記位置が投影面上であると判断された場合、前記投影面に投影されている画像を回避した位置に前記第１のカーソルを表示させることを特徴とする請求項１記載の投影システム。
【請求項９】
画像を表示する画面を備えた端末装置と、この端末装置から前記画面に表示される画像を取得して所定の投影面上に投影する投影装置とを含む投影システムに用いられる照射装置であって、
発光源と、
第１のカーソルを前記画面に表示させる第１のモードと、前記発光源からの光を照射し第２のカーソルを外部の任意の位置に表示させる第２のモードとを設定する設定手段と、
前記第２のカーソルが表示される位置が前記投影面上であるか否かを判断する判断手段と、
この判断手段により前記投影面上であると判断された場合、前記第１のカーソルを表示するように制御する制御手段と
を備えることを特徴とする照射装置。
【請求項１０】
前記判断手段は、前記投影装置の投影に伴うフリッカを前記投影面上にて検出する検出手段を備え、
前記検出手段が前記フリッカを検出した場合に前記第２のカーソルが表示される位置が前記投影面上であると判断することを特徴とする請求項９記載の照射装置。
【請求項１１】
前記制御手段は、前記判断手段により前記第２のカーソルが表示される位置が前記投影面上であると判断された場合、前記設定手段を制御して前記第２のモードを解除することを特徴とする請求項９又は１０記載の照射装置。
【請求項１２】
前記制御手段は、前記第２のモードを解除し且つ前記第１のモードを設定することを特徴とする請求項１１記載の照射装置。
【請求項１３】
前記制御手段は、前記検出手段が前記部位におけるフリッカを検出しない場合、前記第２のモードを解除して、前記第１のモードを設定することを特徴とする請求項１１又は１２記載の照射装置。
【請求項１４】
前記制御手段は、前記判断手段により前記位置が投影面上であると判断された場合、投影面上でないと判断された場合よりも小さいサイズで前記第２のカーソルを表示させることを特徴とする請求項９記載の照射装置。
【請求項１５】
前記制御手段は、前記判断手段により前記位置が投影面上であると判断された場合、前記投影面に投影されている画像の色に応じた異なる色で前記第１のカーソルを表示させることを特徴とする請求項９記載の照射装置。
【請求項１６】
前記制御手段は、前記判断手段により前記位置が投影面上であると判断された場合、前記投影面に投影されている画像を回避した位置に前記第１のカーソルを表示させることを特徴とする請求項９記載の照射装置。
【発明の詳細な説明】
【技術分野】
【０００１】
本発明は、投影システム及びこの投影システムに用いられるポインタに関する。
【背景技術】
【０００２】
従来、プロジェクタとパソコンとを無線接続した投影システムが提案されるに至っている（例えば下記特許文献１参照。）。このシステムを用いることにより、パソコンの液晶画面に表示されている画像をプロジェクタによりスクリーン上に投影することが可能となる。したがって、説明者はパソコンでの操作により、スクリーン上の投影画像を切り換え変化させながら、プレゼンテーションを行うことができる。
【０００３】
また、レーザーポインタを用い、レーザーのスポット光からなるレーザーカーソルを前記スクリーン上に表示させてプレゼンテーションを行うことも行われている（例えば下記特許文献２参照）。したがって、説明者はパソコンでの操作によりスクリーン上の投影画像を切り換え変化させつつ、投影画像の要部をレーザーカーソルで指し示しながら、円滑に説明を行うことができる。
【先行技術文献】
【特許文献】
【０００４】
【特許文献１】特開２０００−２２２１６３号公報
【特許文献２】特開２００１−１２５７３８号公報
【発明の概要】
【発明が解決しようとする課題】
【０００５】
しかしながら、パソコンの液晶画面には通常マウスカーソルが表示されていることから、この液晶画面に表示されている画像をプロジェクタにより投影すると、投影画像はマウスカーソルが表示されている状態となる。したがって、この状態でレーザーポインタを用いて説明を行うと、投影画面上にはパソコンからのマウスカーソルとレーザーポインタのスポット光からなるレーザーカーソルとが併存して表示されてしまう。このため、説明者が説明に際して混乱したり、説明を受ける視聴者が誤解してしまう不都合が生じてしまう。
【０００６】
本発明は、かかる従来の課題に鑑みてなされたものであり、投影画像上に複数のカーソルが表示されることに起因する不都合を解消する投影システム及びポインタを提供することを目的とする。
【課題を解決するための手段】
【０００７】
前記課題を解決するため本発明に係る投影システムにあっては、画像を表示する画面を備えた端末装置と、この端末装置から前記画面に表示される画像を取得して所定の投影面上に投影する投影装置と、第１のカーソルを前記画面に表示させる第１のモードと、発光源を有しこの発光源からの光を照射し第２のカーソルを外部の任意の位置に表示させる第２のモードとを設定可能な照射装置と、を含む投影システムであって、前記照射装置は、前記第２のカーソルが表示される位置が前記投影面上であるか否かを判断する判断手段と、この判断手段により前記投影面上であると判断された場合、前記第１のカーソルを表示するように制御する制御手段とを備えることを特徴とする。
【０００８】
また、本発明に係る照射装置にあっては、画像を表示する画面を備えた端末装置と、この端末装置から前記画面に表示される画像を取得して所定の投影面上に投影する投影装置とを含む投影システムに用いられる照射装置であって、発光源と、第１のカーソルを前記画面に表示させる第１のモードと、前記発光源からの光を照射し第２のカーソルを外部の任意の位置に表示させる第２のモードとを設定する設定手段と、前記第２のカーソルが表示される位置が前記投影面上であるか否かを判断する判断手段と、この判断手段により前記投影面上であると判断された場合、前記第１のカーソルを表示するように制御する制御手段とを備えることを特徴とする。
【発明の効果】
【０００９】
本発明によれば、投影画像上に複数のカーソルが表示されることを防止することができ、その結果、説明者が説明に際して混乱したり、説明を受ける視聴者が誤解する不都合を解消することができる。
【図面の簡単な説明】
【００１０】
【図１】本発明の一実施の形態に係るプレゼンテーションシステムを示す斜視図である。
【図２】プロジェクタの回路構成を示すブロック図である。
【図３】パソコンの回路構成を示すブロック図である。
【図４】ポインタの外観構成を示すブロック図である。
【図５】ポインタの回路構成を示すブロック図である。
【図６】ポインタの処理手順を示すフローチャートである。
【発明を実施するための形態】
【００１１】
以下、本発明の一実施の形態を図に従って説明する。図１は、本発明の一実施の形態に係るプレゼンテーションシステムの構成を示すブロック図である。このプレゼンテーションシステムは、プレゼンテーション会場内に配置されたプロジェクタ１と、このプロジェクタ１に無線接続されたパソコン５、及びパソコン５に無線接続されたポインタ８で構成されている。また、このプレゼンテーション会場内には、プロジェクタ１により画像が投影されるスクリーン１００と、プレゼンテーションに関連する事項が書き込まれたホワイトボード２００が配置されている。
なお、これらプロジェクタ１、パソコン５、ポインタ８を接続する近接無線通信手段として、例えばブルーツゥース（Bluetooth：登録商標）を用いることができる。
【００１２】
図２は、前記プロジェクタ１の回路構成を示すブロック図である。このプロジェクタ１は、制御部１１、入出力インターフェイス１２、画像変換部１３、表示エンコーダ１４、表示駆動部１５等を有するものである。入出力コネクタ部１６から入力された各種規格の画像信号は、入出力インターフェイス１２、システムバス１７を介して、画像変換部１３で表示に適した所定フォーマットの画像信号に統一するように変換された後、表示エンコーダ１４に送られる。また、無線通信部２８により受信されたパソコン５からの所定規格の画像信号も、無線通信処理部２９、システムバス１７を介して、画像変換部１３で表示に適した所定フォーマットの画像信号に統一するように変換された後、表示エンコーダ１４に送られる。
【００１３】
表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００１４】
表示エンコーダ１４からビデオ信号が入力される表示駆動部１５は、送られてきた画像信号に対応して適宜フレームレートで空間的光変調素子（ＳＯＭ）である表示素子１９を駆動する。そして、光源装置２０から射出された光線束を光源側光学系を介して表示素子１９に入射することにより、表示素子１９の反射光で光像を形成し、投影側光学系とする可動レンズ群２１を介してスクリーン１００に画像を投影表示する。この投影側光学系の可動レンズ群２１は、レンズモータ２２によりズーム調整やフォーカス調整のための駆動が行われる。
【００１５】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００１６】
制御部１１は、プロジェクタ１内における各回路の動作を制御するものであって、ＣＰＵ（Central Processing Unit）及びその周辺回路、ＲＯＭ（Read Only Memory）１１１、ＲＡＭ（ Random Access Memory ）１１２等で構成されている。ＲＯＭ１１１には、ＣＰＵや各種セッティング等のプログラムやデータ等が予め記憶されており、ＲＡＭ１１２は、ワークメモリ等として使用される。キー／インジケータ部２５は、本体ケース等に設けられているメインキー及びインジケータ等により構成され、その操作信号は制御部１１に送出される。
【００１７】
なお、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。また、制御部１１は、光源制御回路３２を制御することにより、画像信号に応じて赤色光源、緑色光源、青色光源を時分割制御している。
【００１８】
図３は、前記パソコン５の構成を示すブロック図である。図示のように、このパソコン５は、バス５１を介して互いに接続された制御部５２、ＨＤＤ（Hard Disk）５３、ＲＡＭ５４、サウンド処理部５５、グラフィック処理部５６、ＤＶＤ／ＣＤ−ＲＯＭドライブ５７、無線通信処理部５８、及びインターフェイス部５９を備えている。
【００１９】
制御部５２は、ＣＰＵ、ＲＯＭ等で構成され、ＲＯＭに記憶されているブートプログラムやＯＳ（Operating System）等の基本プログラムに基づき、ＲＡＭ５４に記憶されたプログラムを順次実行して、各種処理等を行うとともに、パソコン５本体内の各部の動作を制御する。
【００２０】
ＲＡＭ５４は、メインメモリとして使用されるもので、ＤＶＤ／ＣＤ−ＲＯＭから転送された、プログラムやデータを記憶する。ＲＡＭ５４は、また、プログラム実行時におけるワークエリアとしても使用される。サウンド処理部５５は、制御部５２からの指示に従って、サウンドデータを再生するための処理を行い、音声信号として出力するとともに、この音声信号を再生するスピーカを含む。
【００２１】
グラフィック処理部５６は、制御部５２からの指示に従って各種画像データを生成し、また、生成した画像データに所定の同期信号を付加して、ビデオ信号として表示部６１に出力する。ＤＶＤ／ＣＤ−ＲＯＭドライブ５７は、制御部５２からの指示に従って、パソコン５にセットされたＤＶＤ／ＣＤ−ＲＯＭを駆動し、ＤＶＤ／ＣＤ−ＲＯＭに格納されているプログラムやデータを、バス５１を介してＲＡＭ５４に転送する。
【００２２】
無線通信処理部５８には、無線通信部６４が接続されている。そして、前記ポインタ８からの無線信号は無線通信部６４で受信され、無線通信処理部５８で復調されて制御部５２に送られる。また、プロジェクタ１への無線画像信号は、制御部５２から無線通信処理部５８に送られて変調された後、無線通信部６４から送信される。
【００２３】
インターフェイス部５９には、キーボード６２が接続される。このインターフェイス部５９では、キーボード６２と制御部５２やＲＡＭ５４との間のデータの授受を制御する。ＨＤＤ５３は、各種プログラムや各種データを格納している。表示部６１は、グラフィック処理部５６からのビデオ信号に対応する画像を表示する液晶パネル等からなる表示画面を備えている。
【００２４】
したがって、制御部５２は、表示部６１に表示させたグラフィック処理部５６からのビデオ信号を処理し、無線通信処理部５８及び無線通信部６４を介してプロジェクタ１に画像信号を送信することができる。よって、プロジェクタ１が、パソコン５から送信される画像信号を無線通信部２８により受信して、前述のように各部により処理を行うことにより、パソコン５の表示部６１に表示されている画像と同一の画像をスクリーン１００に投影することができる。
【００２５】
図４は、ポインタ８の外部形状を示す斜視図である。このポインタ８は、マウスに近似する形状からなるハウジング８１を有している。ハウジング８１の上面にはホイール８２の上端部が突出しており、先端面９５にはＡＦ機能を備えた撮像レンズ８３とレーザーダイオード８４とが併設されている。したがって、これら撮像レンズ８３により撮像される方向である撮像方向とレーザーダイオード８４から照射されるレーザーの方向である照射方向とは同一である。
【００２６】
図５は、ポインタ８の回路構成を示すブロック図である。図示のようにポインタ８は、制御部８５、操作情報入力部８６、撮像部８７、切替部８８等を有する。操作情報入力部８６からは、当該ポインタ８の操作に関連する全て情報、例えば電源のオン・オフ、ホイール８２の操作情報、ポインタ８をマウスと同様に机上で移動させた場合の移動情報、左右クリックやドラッグを行った場合のクリック、ドラッグ情報等入力され、これら操作情報はバスライン８９を介して制御部８５に供給される。撮像部８７は、前記撮像レンズ８３の光軸上に配置されて被写体像が結像されるＣＣＤ、ＣＣＤから出力された信号を処理するＡ／ＤコンバータやＤＳＰ等を有し、撮像信号（画像信号）を処理して制御部８５に供給する。
【００２７】
なお、撮像部８７が有するＣＣＤは、プロジェクタ１の光源装置２０から射出される光線束により投影される画像をフリッカーとして検出できるフレームレート（サンプリング周波数）で動作するものである。
【００２８】
切替部８８は、ポインタ機能部９０とマウス機能部９１とを切り替える回路で構成されている。ポインタ機能部９０は、前記レーザーダイオード８４を駆動する回路である。マウス機能部９１は、前記操作情報入力部から入力された操作情報に基づき、ポインタ８をマウスとして機能させた場合のカーソル表示、スクロール、クリック等のパソコン５に対するコマンドを生成する。これら、マウス機能部９１で生成されたコマンドは、無線通信処理部８２及び無線通信部９３を介して、パソコン５に送信される。
【００２９】
制御部８５は、ポインタ８内における各回路の動作を制御するものであって、ＣＰＵ及びその周辺回路、ＲＯＭ８５１、ＲＡＭ８５２等で構成されている。ＲＯＭ８５１には後述するフローチャートにより示すプログラムやデータ等が予め記憶されており、ＲＡＭ８５２は、ワークメモリ等として使用される。
【００３０】
以上の構成に係る本実施の形態において、説明者は例えば投影する複数の画面で使用する説明事項をホワイトボード２００に書き込んでおく。プレゼンテーションに際しては、パソコン５のＨＤＤ５３に予め記憶させてある資料を表示部６１に表示させる。すると、このパソコン５の表示部６１に資料を表示させた画像データが無線通信部６４を介してプロジェクタ１に送信される。プロジェクタ１は無線通信部２８によりこのデータを受信し、無線通信処理部２９、システムバス１７を介して、画像変換部１３で表示に適した所定フォーマットの画像信号に統一するように変換される。表示エンコーダ１４は、送られてきた画像信号をビデオＲＡＭ１８に展開記憶させた上で、このビデオＲＡＭ１８の記憶内容からビデオ信号を生成して表示駆動部１５に出力し、表示駆動部１５、表示素子１９が前述のように動作する。これにより、スクリーン１００にはパソコン５の表示部６１に表示されている画像と同一の画像が表示される。
【００３１】
また、このときポインタ８の切替部８８によりマウス機能部９１がＯＮの状態にあると、パソコン５の表示部６１には、第１のカーソルが表示される。したがって、この第１のカーソルを含む画像データがパソコン５からプロジェクタ１に送信されて、投影されることにより、図１に示すようにスクリーン１００には第１のカーソルＣ１が表示されることとなる。
【００３２】
一方、ポインタ８の制御部８５は、ＲＯＭ８５１に記憶されているプログラムに従って、図６のフローチャートに示すように処理を実行する。電源が投入されたならば（ステップＳ１；ＹＥＳ）、各部を起動する（ステップＳ２）。したがって、このステップＳ２での処理により、撮像部８７も起動することとなり、ポインタ８はプロジェクタ１の投影画像上におけるフリッカーを検出することが可能な状態となる。
【００３３】
そこで、ポインタ８の制御部８５は、撮像部８７により撮像され画像に基づき、フリッカーが検出できたか否かを判断する（ステップＳ３）。このステップＳ３での判断の結果、フリッカーが検出できない場合は、制御部８５は切替部８８を制御してポインタ機能部９０をＯＮにし、かつ、マウス機能部９１をＯＦＦにする（ステップＳ４）。
【００３４】
つまり、リッカーが検出できないことにより、ポインタ８の先端面９５は、少なくともスクリーン１００の方向に向いてないと断定することができる。また、現在プレゼンテーション中であることを考慮すると、説明者はホワイトボード２００方向にポインタ８を向けて、ホワイトボード２００の記載事項の説明を行う状況が想定される。よって、この場合には、ポインタ機能部９０をＯＮ状態に維持する（ステップＳ４）。
【００３５】
これにより、レーザーダイオード８４が動作状態に維持され、図１に示すように、発生したレーザー光により第２のカーソルＣ２がホワイトボード２００に投影される。したがって、説明者はポインタ８を持って先端面９５の向きを変化させることにより、ホワイトボード２００上における第２のカーソルＣ２の位置を自在に変化させつつ、プレゼンテーションを進行させることができる。
【００３６】
また、このとき制御部８５は、マウス機能部９１をオフにする（ステップＳ４）。したがって、パソコン５の表示部６１及びスクリーン１００からは第１のカーソルＣ１が消去された状態となる。よって、説明を受ける視聴者において、ホワイトボード２００の記載事項を説明しているのにも拘わらず、スクリーン１００上の画面での説明が行われていると誤解する不都合を未然に防止することができる。
【００３７】
しかる後に、電源がＯＦＦにされたか否かを判断し、電源がＯＦＦにされるまで、ステップＳ３からの処理を繰り返す。
【００３８】
このようにして、プレゼンテーションを進行させている状態において、説明者が持っているポインタ８の先端面９５をスクリーン１００方向に向けると、撮像レンズ８３も同方向を指向する。したがって、撮像部８７によりフリッカーが検出され、ステップＳ３の判断がＹＥＳとなる。よって、制御部８５はステップＳ３からステップＳ５に処理を進め、ポインタ機能部９０をＯＦＦにし、かつマウス機能部９１をＯＮにする。
【００３９】
このとき、スクリーン１００には、パソコン５の表示部に表示されている第１のカーソルＣ１がプロジェクタ１により投影されて表示される。しかし、ポインタ機能部９０がＯＦＦにされていることから、ポインタ８の先端面９５がスクリーン１００方向に向いていても、第２のカーソルＣ２がスクリーン１００上に表示されることはない。
【００４０】
よって、スクリーン１００上に第１のカーソルＣ１と第２のカーソルＣ２とが併存して表示されてしまう状態を回避することができる。このため、スクリーン１００上に第１のカーソルＣ１と第２のカーソルＣ２とが表示され説明者が説明に際して混乱したり、説明を受ける視聴者が誤解する不都合を解消することができる。
【００４１】
以上、本発明の一実施の形態について説明したが、本実施形態の変形例を下記に示す。
（１）実施の形態においては、第２のカーソルＣ２を不表示とすることにより、第１及び第２のカーソルＣ１、Ｃ２がスクリーン１００上に表示されることを防止するようにしたが、フリッカーが検出された場合には第２のカーソルＣ２をそれ以前に表示されていたサイズよりも小さいサイズで表示させるようにしてもよい。このようにすれば、第２のカーソルＣ２が目立たないものとなり、説明を受ける視聴者の誤解を低減することができる。
【００４２】
（２）フリッカーが検出された場合には、第２のカーソルＣ２をスクリーン１００上に投影されている画像と異なる色で表示させるようにしてもよい。このようにすれば、第２のカーソルＣ２により妨げられることなく当該第２のカーソルＣ２と画像とを明確に見分けることができる。
【００４３】
（３）フリッカーが検出された場合には、第２のカーソルＣ２を消去することなくスクリーン１００上に表示されている文字、図やグラフと重ならない位置に表示するようにしてもよい。このようにすれば、説明を受ける視聴者は第２のカーソルＣ２により妨げられることなく、文字、図やグラフを見ることができる。
【００４４】
（４）本実施の形態のステップＳ４においては、マウス機能部９１をＯＦＦにすることにより、マウス機能全体を停止させるようにしたが、第１のカーソルＣ１の表示機能のみをＯＦＦにし、スクロール、クリック等の他の機能はＯＮ状態を維持するようにしてもよい。このようにすれば、スクリーン１００上での両カーソルＣ１、Ｃ２の併存表示を回避しつつ、マウスの機能を発生させるすることができる。
【００４５】
（５）本実施の形態のステップＳ４においては、ポインタ機能部９０を単にＯＮにするようにしたが、操作情報入力部８６にボタンを設け、ボタン操作を行っている間においてよみポインタ機能部９０をＯＮにするよういしてもよい。このようにすれば、誤って視聴者の目にレーザー光が照射される事態を未然に防止することがきる。
【００４６】
（６）実施の形態においては、フリッカーが検出できるか否かにより、第２のカーソルＣ２の表示される位置がスクリーン１００上であるか否かを判断するようにした。しかしこれに限らず、例えば角度センサを用いてポインタ８がスクリーン１００方向を向いているか否かにより、第２のカーソルＣ２の表示される位置がスクリーン１００上であるか否かを判断する等、他の手段、方法により第２のカーソルＣ２の表示される位置がスクリーン１００上であるか否かを判断するようにしてもよい。
【００４７】
以上、本発明の実施形態について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
【００４８】
［請求項１］
画像を表示する画面を備えた端末装置と、
この端末装置から前記画面に表示される画像を取得して所定の投影面上に投影する投影装置と、
第１のカーソルを前記画面に表示させる第１のモードと、発光源を有しこの発光源からの光を照射し第２のカーソルを外部の任意の位置に表示させる第２のモードとを設定可能な照射装置と、を含む投影システムであって、
前記照射装置は、
前記第２のカーソルが表示される位置が前記投影面上であるか否かを判断する判断手段と、
この判断手段により前記投影面上であると判断された場合、前記第１のカーソルを表示するように制御する制御手段と
を備えることを特徴とする投影システム。
【００４９】
［請求項２］
前記判断手段は、前記投影装置の投影に伴うフリッカを前記投影面上にて検出する検出手段を備え、
前記検出手段が前記フリッカを検出した場合に前記第２のカーソルが表示される位置が前記投影面上であると判断することを特徴とする請求項１記載の投影システム。
【００５０】
［請求項３］
前記制御手段は、前記判断手段により前記第２のカーソルが表示される位置が前記投影面上であると判断された場合、前記第２のモードを解除することを特徴とする請求項１又は２記載の投影システム。
【００５１】
［請求項４］
前記制御手段は、前記第２のモードを解除し且つ前記第１のモードを設定することを特徴とする請求項３記載の投影システム。
【００５２】
［請求項５］
前記制御手段は、前記検出手段が前記部位におけるフリッカを検出しない場合、前記第２のモードを解除して、前記第１のモードを設定することを特徴とする請求項３又は４記載の投影システム。
【００５３】
［請求項６］
前記制御手段は、前記判断手段により前記位置が投影面上であると判断された場合、投影面上でないと判断された場合よりも小さいサイズで前記第２のカーソルを表示させることを特徴とする請求項１記載の投影システム。
【００５４】
［請求項７］
前記制御手段は、前記判断手段により前記位置が投影面上であると判断された場合、前記投影面に投影されている画像の色に応じた異なる色で前記第１のカーソルを表示させることを特徴とする請求項１記載の投影システム。
【００５５】
［請求項８］
前記制御手段は、前記判断手段により前記位置が投影面上であると判断された場合、前記投影面に投影されている画像を回避した位置に前記第１のカーソルを表示させることを特徴とする請求項１記載の投影システム。
【００５６】
［請求項９］
画像を表示する画面を備えた端末装置と、この端末装置から前記画面に表示される画像を取得して所定の投影面上に投影する投影装置とを含む投影システムに用いられる照射装置であって、
発光源と、
第１のカーソルを前記画面に表示させる第１のモードと、前記発光源からの光を照射し第２のカーソルを外部の任意の位置に表示させる第２のモードとを設定する設定手段と、
前記第２のカーソルが表示される位置が前記投影面上であるか否かを判断する判断手段と、
この判断手段により前記投影面上であると判断された場合、前記第１のカーソルを表示するように制御する制御手段と
を備えることを特徴とする照射装置。
【００５７】
［請求項１０］
前記判断手段は、前記投影装置の投影に伴うフリッカを前記投影面上にて検出する検出手段を備え、
前記検出手段が前記フリッカを検出した場合に前記第２のカーソルが表示される位置が前記投影面上であると判断することを特徴とする請求項９記載の照射装置。
【符号の説明】
【００５８】
１    プロジェクタ
５    パソコン
８    ポインタ
８１    ハウジング
８２    ホイール
８２    無線通信処理部
８３    撮像レンズ
８４    レーザーダイオード
８５    制御部
８６    操作情報入力部
８７    撮像部
８８    切替部
８９    バスライン
９０    ポインタ機能部
９１    マウス機能部
９３    無線通信部
９５    先端面
１００    スクリーン
１１１    ＲＯＭ
１１２    ＲＡＭ
２００    ホワイトボード
【図１】
2015060573.tif 000003
【図２】
2015060573.tif 000004
【図３】
2015060573.tif 000005
【図４】
2015060573.tif 000006
【図５】
2015060573.tif 000007
【図６】
2015060573.tif 000008